(57)【要約】【課題】棟部で棟木を利用して命綱を付けるための安全金具を固定できて安全金具の取り付けが軒先に比べて安全にできると共に作業もしやすくできる屋根への安全金具の取り付け構造を提供する。【解決手段】屋根瓦７を葺いた屋根１の棟部に棟頂部を介して木製の一対の棟木８を棟の長手方向に装着すると共に棟木８を覆うように棟包み９を被着する。両端に綱の引っ掛け部１０を有し且つ棟包み９の幅方向に亙る安全金具１１を棟包み９の上に載せる。安全金具１１から棟包み９を介して棟木８にビス、釘等の固着具１２を打入して固着具１２にて安全金具１１を取り付ける。【選択図】        図１
2005336990.tif 000002
【特許請求の範囲】
【請求項１】
屋根瓦を葺いた屋根の棟部に棟頂部を介して木製の一対の棟木を棟の長手方向に装着すると共に棟木を覆うように棟包みを被着し、両端に綱の引っ掛け部を有し且つ棟包みの幅方向に亙る安全金具を棟包みの上に載せ、安全金具から棟包みを介して棟木にビス、釘等の固着具を打入して固着具にて安全金具を取り付けて成ることを特徴とする屋根への安全金具の取り付け構造。
【請求項２】
安全金具の両端の引っ掛け部を露出させた状態で安全金具を覆うようにカバーを棟包みに被着したことを特徴とする請求項１記載の屋根への安全金具の取り付け構造。
【請求項３】
屋根瓦を葺いた屋根の棟部に棟頂部を介して木製の一対の棟木を棟の長手方向に装着し、両端に綱の引っ掛け部を有し且つ一対の棟木の幅方向に亙る安全金具を棟木の上に載せ、安全金具から棟木にビス、釘等の固着具を打入して固着具にて安全金具を取り付け、安全金具の両端の引っ掛け部を露出させた状態で安全金具を介して棟木に棟木を覆うように棟包みを被着したことを特徴とする屋根への安全金具の取り付け構造。
【請求項４】
屋根瓦を葺いた下屋の上部に木製の笠木を装着し、一端に綱の引っ掛け部を有する安全金具を笠木の上に載せ、安全金具から笠木にビス、釘等の固着具を打入して固着具にて安全金具を取り付け、安全金具の引っ掛け部を露出させた状態で安全金具を覆うようにカバーを笠木に被着したことを特徴とする屋根への安全金具の取り付け構造。
【請求項５】
カバーの壁側端部に立ち上げ片を設け、立ち上げ片を壁板材の裏面側に挿入したことを特徴とする屋根への安全金具の取り付け構造。
【発明の詳細な説明】
【技術分野】
【０００１】
本発明は、窯業系の平板瓦のような屋根瓦を葺いた屋根に安全金具を取り付けて命綱のような綱を支持できるようにする構造に関するものである。
【背景技術】
【０００２】
一般に建物を新築してから所定の期間を経た後に屋根の点検や補修が行われたり、テレビのアンテナが取り付けられたりすることがあるが、この屋根上での作業は危険であるために安全に作業するためには命綱を付けて作業をする必要がある。
【０００３】
従来、屋根が折版屋根の場合、折版屋根材の山部を利用して命綱固定金具をねじの締め付けなどで固定し、この命綱固定金具に命綱を支持して屋根上で安全に作業ができるようにしている（例えば、特許文献１参照）。
【０００４】
屋根が折版屋根の場合、折版屋根材の山部を形状を利用して命綱固定金具を固定することができるが、窯業系の屋根瓦を葺いた屋根の場合、このような構造を採用できないために次のように行っている。つまり、図１６に示すように屋根１の両側の軒先にセーフティロックと称される引っ掛け固定金具２を取り付け、両側の引っ掛け固定金具間２間に命綱としての親綱３を架設し、この親綱３と作業者４に装着した安全帯５とを命綱としての屋根面ロープ６で接続するようになっている。
【特許文献１】特開２０００−４５５３６号公報
【発明の開示】
【発明が解決しようとする課題】
【０００５】
図１６に示すようにすると、折版屋根でない瓦葺きの屋根でも安全に作業することができるが、屋根上の作業をする前に引っ掛け固定金具２を軒先に取り付けなければならなく、この作業に手間や危険が伴なうという問題があり、しかも屋根の軒先に引っ掛け固定する引っ掛け固定金具２のために作業終了後にそのままにしておくことができず、引っ掛け固定金具２を取り外さなければならなくて、取り外しに手間がかかると共に危険も伴なうという問題がある。
【０００６】
本発明は上記の従来の問題点に鑑みて発明したものであって、棟部で棟木を利用して命綱を付けるための安全金具を固定できて安全金具の取り付けが軒先に比べて安全にできると共に作業もしやすく、しかも屋根作業を終えた後に安全金具を取り外さなくても外観上目立たなく、安全金具をそのまま残して次回の屋根作業にも利用することができる屋根への安全金具の取り付け構造を提供するにある。
【課題を解決するための手段】
【０００７】
上記課題を解決するために本発明の請求項１の屋根への安全金具の取り付け構造は、屋根瓦７を葺いた屋根１の棟部に棟頂部を介して木製の一対の棟木８を棟の長手方向に装着すると共に棟木８を覆うように棟包み９を被着し、両端に綱の引っ掛け部１０を有し且つ棟包み９の幅方向に亙る安全金具１１を棟包み９の上に載せ、安全金具１１から棟包み９を介して棟木８にビス、釘等の固着具１２を打入して固着具１２にて安全金具１１を取り付けて成ることを特徴とする。このようにすることで屋根の棟部で棟木８を利用して安全金具１１を取り付けることができて軒先に比べて安全な屋根１の棟部で安全に安全金具１１の取り付け作業をすることができ、しかも棟部で棟包み９の上に沿わせて固着具１２を打入するだけで取り付けることができて安全金具１１の取り付け作業もしやすい。また屋根１の棟部に安全金具１１を取り付けるため屋根作業を終了した後に取り外さなくても外観上目立たなくそのままにしておくことができ、安全金具１１を取り外す手間がかからないと共に次回の屋根作業にも利用できる。
【０００８】
また本発明の請求項２の屋根への安全金具の取り付け構造は、請求項１において、安全金具１１の両端の引っ掛け部１０を露出させた状態で安全金具１１を覆うようにカバー１３を棟包み９に被着したことを特徴とする。安全金具１１を取り外さないで安全金具１１をそのまま残しても安全金具１１の大半の部分を覆って外観よくできると共に固着具１２を打入して安全金具１１を取り付けてもカバー１３にて覆って防水性を確保することができる。
【０００９】
また本発明の請求項３の屋根への安全金具の取り付け構造は、屋根瓦７を葺いた屋根１の棟部に棟頂部を介して木製の一対の棟木８を棟の長手方向に装着し、両端に綱の引っ掛け部１０を有し且つ一対の棟木８の幅方向に亙る安全金具１１を棟木８の上に載せ、安全金具１１から棟木８にビス、釘等の固着具１２を打入して固着具１２にて安全金具１１を取り付け、安全金具１１の両端の引っ掛け部１０を露出させた状態で安全金具１１を介して棟木８に棟木８を覆うように棟包み９を被着したことを特徴とする。このように屋根の棟部で棟木８を利用して安全金具１１を取り付けることができて軒先に比べて安全な屋根１の棟部で安全に安全金具１１の取り付け作業をすることができ、しかも棟部で棟木８の上に沿わせて固着具１２を打入するだけで取り付けることができて安全金具１１の取り付け作業もしやすい。また屋根１の棟木８に安全金具１１を取り付けると共に安全金具１１を介して棟木８に棟包み９を被着するため、屋根作業を終了した後に取り外さなくても外観上目立たなくそのままにしておくことができ、安全金具１１を取り外す手間がかからないと共に次回の屋根作業にも利用できる。また安全金具１１を固着具１２で固定しても上から棟包み９を被着するために防水性を確保することができる。
【００１０】
また本発明の請求項４の屋根への安全金具の取り付け構造は、屋根瓦７を葺いた下屋３０の上部に木製の笠木３１を装着し、一端に綱の引っ掛け部１０を有する安全金具１１を笠木３１の上に載せ、安全金具１１から笠木３１にビス、釘等の固着具１２を打入して固着具１２にて安全金具１１を取り付け、安全金具１１の引っ掛け部１０を露出させた状態で安全金具１１を覆うようにカバー１３を笠木３１に被着したことを特徴とする。このように下屋３０の上部で笠木３１を利用して安全金具１１を取り付けることができて軒先に比べて安全な下屋３０の上部で安全に安全金具１１の取り付け作業をすることができ、しかも笠木３１の上に沿わせて固着具１２を打入するだけで取り付けることができて安全金具１１の取り付け作業もしやすい。また、下屋３０の上で作業する場合に、屋根１の棟部から綱を長く伸ばす必要がなく、綱が途中で引っ掛かりにくくなって作業がし易くなるものであり、また、綱が引っ掛かった部分で摩擦により破断することもなく、安全性を高めることができるものである。さらに、安全金具１１を取り外さないで安全金具１１をそのまま残しても安全金具１１の大半の部分をカバー１３にて覆って外観よくできると共に固着具１２を打入して安全金具１１を取り付けてもカバー１３にて覆って防水性を確保することができる。
【００１１】
また本発明の請求項５の屋根への安全金具の取り付け構造は、カバー１３の壁側端部に立ち上げ片１３ｄを設け、立ち上げ片１３ｄを壁板材３２の裏面側に挿入したことを特徴とする。この場合、立ち上げ片１３ｄにより安全金具１１と壁板材３２との間の隙間を覆うことができ、安全金具１１と壁板材３２との間の隙間から雨水が浸入しないように防水性を高めることができるものである。
【発明の効果】
【００１２】
本発明は叙述の如く構成されているので、屋根の棟部で棟木を利用して安全金具を取り付けることができて軒先に比べて安全な屋根の棟部で安全に作業することができるという効果があり、しかも棟部で棟包みの上に沿わせて固着具を打入するだけで取り付けることができて安全金具の取り付け作業もしやすいという効果があり、また屋根の棟部に安全金具を取り付けるため屋根作業を終了した後に取り外さなくても外観上目立たなくそのままにしておくことができ、安全金具を取り外す手間がかからないと共に次回の屋根作業にも利用できるという効果がある。
【発明を実施するための最良の形態】
【００１３】
以下、本発明を添付図面に示す実施形態に基いて説明する。屋根１は垂木１４の上に野地板１５が張られ、野地板１５の上に平板瓦のような屋根瓦７が葺かれている。この屋根１の棟部では図２に示すように木製の一対の棟木８が棟頂部を介して棟の長手方向に沿わせられ、棟木８から隅木１７に釘等の固着具１８が打入されて取り付けられている。棟包み９は山形の上面片９ａと上面片９ａの両側から垂下した側面片９ｂと側面片９ｂの下端から屋根勾配に沿うように側方に連出した連出片９ｃとで形成されており、この棟包み９が一対の棟木８を覆うように被嵌され、側面片９ｂから棟木８に釘等の固着具１９が打入されて棟包み９が棟木８に取り付けられている。
【００１４】
命綱を支持するための安全金具１１はステンレス鋼板等の帯板を図３に示すように折り曲げて形成されており、山形の本体部１１ａの両側から係止片１１ｂを垂下してあり、係止片１１ｂの下端から上方に向けて連出片１１ｃを連出してある。本体部１１ａには複数個の固定孔２０を穿孔してあり、連出片１１ｃには綱の引っ掛け部１０として引っ掛け孔１０ａを穿孔してある。安全金具１１を取り付けた部分を覆うカバー１３は図４に示すように断面山形の本体部１３ａの幅方向の両側に側面縁１３ｂを垂下すると共に本体部１３ａの長手方向の両端に端面縁１３ｃを垂下して形成されている。
【００１５】
屋根の点検や補修、アンテナの取り付けのために安全金具１１を取り付ける場合、図５（ａ）に示すように屋根の棟部の棟包み９の上に安全金具１１を載せ、棟包み９の上面片９ａに安全金具１１の本体部１１ａを沿わせると共に棟包み９の側面片９ｂに安全金具１１の係止片１１ｂを係止し、図５（ｂ）に示すように電動ドリル２２等を用いてビス、釘等の固着具１２を安全金具１１の固定孔２０から棟包み９を介して棟木８に打入して安全金具１１を取り付ける。この時、安全金具１１は連出片１１ｃが上向きに突出するように取り付けられるものであり、連出片１１ｃと屋根瓦７との間には隙間が形成されている。安全金具１１を取り付けた後、安全金具１１を跨ぐ位置で棟包み９の上面に図５（ｃ）に示すようにシーリング材２３を塗布し、図５（ｄ）に示すように安全金具１１やシーリング材２３の上からカバー１３を棟包み９に被嵌し、カバー１３の側面縁１３ｂを棟包み９の側面片９ｂに重ね、側面縁１３ｂからビス、釘等の固着具を棟木８に打入してカバー１３を取り付ける。このようにカバー１３を取り付けた状態で安全金具１１の引っ掛け孔１０ａの部分は露出している。
【００１６】
上記のように安全金具１１を屋根１の棟部に取り付けた後に命綱を取り付ける場合は例えば次のように行われる。図１（ｂ）に示すように屋根の棟部に棟の長手方向に間隔を隔てて取り付けた一対の安全金具１１間に亙るように命綱としての親綱３が架設され、親綱３の両端のフック等の係止具が安全金具１１の引っ掛け孔１０ａに引っ掛け係止され、命綱としての屋根面ロープ６の一端がフック等の係止具にて親綱３に引っ掛け係止され、屋根面ロープ６の他端が作業者に巻き付けた安全帯にフック等の係止具にて係止される。このように作業者と安全金具１１と命綱で繋いで屋根上の作業が安全にできる。なお、安全金具１１に命綱を繋ぐ繋ぎ方は上記の仕方に限定されず、種々のものが考えられる。
【００１７】
屋根１上の作業を終えた後、上記安全金具１１は一般的には取り外されることなく、そのまま残される。安全金具１１を取り外さなくてそのまま残しても外に露出するのは引っ掛け部１０としての引っ掛け孔１０ａのある部分だけであると共に外観上見えにくい棟部であることにより外観が悪くなることがない。また安全金具１１を取り付けてあってもカバー１３にて覆ってあるために防水的に問題がない。また安全金具１１を残してあると、次回の屋根１の工事に再度使用することができる。
【００１８】
勿論、安全金具１１を取り外しても構わない。この場合、カバー１３を取り外し、固着具１２を取り外して安全金具１１を取り外し、再びカバー１３を取り付ける。また後で安全金具１１を取り外す場合、図１（ａ）に示すように安全金具１１を取り付けた後、カバー１３を取り付けないで安全金具１１を用いて屋根１上の作業をし、この作業終了後に安全金具１１を取り外し、カバー１３を取り付けるようにして作業を簡略化してもよい。
【００１９】
また安全金具１１の取り付け方として次の構造を採用してもよい。屋根１の棟部の棟包み９を取り外し、この状態で図６に示すように棟木８の上に安全金具１１を載せ、安全金具１１の係止片１１ｂを棟木８の側面に係止し、安全金具１１の固定孔２０からビス、釘等の固着具１２を棟木８に打入して安全金具１１を棟木８に取り付ける。そして棟木８の上に安全金具１１を介して棟包み９を被せ、棟包み９を固定する。この場合、安全金具１１の引っ掛け部１０としての引っ掛け孔１０ａが棟包み９から露出し、引っ掛け孔１０ａを利用して命綱を繋いで屋根１上の作業が安全にできる。
【００２０】
屋根１上の作業を終えた後、上記安全金具１１は取り外されることなく、そのまま残される。安全金具１１を取り外さなくてそのまま残しても外に露出するのは引っ掛け部１０としての引っ掛け孔１０ａのある部分だけであると共に外観上見えにくい棟部であることにより外観が悪くなることがない。また安全金具１１を取り付けてあっても棟包み９で覆っているために問題がない。また安全金具１１を残してあると、次回の工事に再度使用することができる。また前記例のようにカバー１３を取り付ける必要がないために余分な部品を要しないと共に外観が悪くなるおそれがない。
【００２１】
なお、本例では棟包み９を取り外してから安全金具１１を取り付けたが、新築の場合は棟包み９を取り付ける前に安全金具１１を予め取り付けておいてもよい。また上記のように棟木８に安全金具１１を取り付ける構造で屋根１の作業をした後に安全金具１１を取り外す場合は、棟包み９を取り外して棟木８に安全金具１１を取り付けて安全金具１１を用いて屋根１上の作業をした後、安全金具１１を取り外して棟木８に再び棟包み９を取り付けることもできる。
【００２２】
以下、本発明の他の実施形態を説明する。図７に示すように、下屋３０は垂木１４の上に野地板１５が張られ、野地板１５の上にルーフィング材４０を介して平板瓦のような屋根瓦７が葺かれている。この下屋３０の上部では木製の笠木３１が下屋３０の軒と平行方向に配置され、笠木３１から屋根瓦７、ルーフィング材４０及び野地板１５を貫通して垂木１４に釘等の固着具１８が打入されて取り付けられている。この笠木３１には雨押え部材４１が全長にわたって取り付けられている。雨押え部材４１は、平板状の上面片４１ａと、上面片４１ａの前端から垂下した前面片４１ｂと、上面片４１ａの後端（壁側端部）から上向きに突出して連出した挿入部４１ｃとで形成されており、この雨押え部材４１は、上面片４１ａで笠木３１の上面を覆うように配置され、前面片４１ｂから笠木３１の前面に釘等の固着具１９が打入されることによって、笠木３１に取り付けられている。また、雨押え部材４１の挿入部４１ｃは、下屋３０に接して形成されている本屋の壁（外壁）４２の壁板材３２の裏面側に挿入されている。壁４２は、柱４３の屋外側に防水紙４４を設けると共に柱４３の屋外側に防水紙４４を介して壁下地材（縦胴縁）４５を取り付け、この壁下地材４５の屋外側に壁板材３２を取り付けることにより形成されるものであり、雨押え部材４１の挿入部４１ｃは、壁板材３２の裏面側（柱４３側）において、柱４３と壁下地材４５の間で二枚の防水紙４４に挟まれるようにして配置されている。また、雨押え部材４１の前面片４１ｂの下端と屋根瓦７の上面との間の隙間はシーリング材２３などで密閉されている。
【００２３】
命綱を支持するための安全金具１１はステンレス鋼板等の帯板を図８（ａ）（ｂ）（ｃ）に示すように折り曲げて形成されており、平板状の本体部１１ａの一側から係止片１１ｂを垂下してあり、係止片１１ｂの下端から上方に向けて連出片１１ｃを連出してある。本体部１１ａには複数個の固定孔２０を穿孔してあり、連出片１１ｃには綱の引っ掛け部１０として引っ掛け孔１０ａを穿孔してある。
【００２４】
安全金具１１を取り付けた部分を覆うカバー１３は図９（ａ）（ｂ）（ｃ）に示すように平板状の本体部１３ａの前端に前面縁１３ｅを垂下して形成されている。
【００２５】
屋根の点検や補修、アンテナの取り付けのために安全金具１１を取り付ける場合、雨押え部材４１の上面片４１ａを介して下屋３０の上部の笠木３１の上に安全金具１１を載せ、雨押え部材４１の上面片４１ａに安全金具１１の本体部１１ａを沿わせると共に雨押え部材４１の前面片４１ｂに安全金具１１の係止片１１ｂを係止し、電動ドリル等を用いてビス、釘等の固着具１２を安全金具１１の固定孔２０から雨押え部材４１の上面片４１ａを介して笠木３１に打入して安全金具１１を取り付ける。この時、図１０に示すように、安全金具１１は連出片１１ｃが上向きに突出するように取り付けられるものであり、連出片１１ｃと屋根瓦７との間には隙間が形成されている。次に、安全金具１１の上からカバー１３を雨押え部材４１に被嵌し、安全金具１１の本体部１１ａとカバー１３の本体部１３ａで覆うと共に安全金具１１の係止片１１ｂをカバー１３の前面縁１３ｅで覆い、カバー１３の前面縁１３ｅから雨押え部材４１の前面片４１ｂを貫通してビス、釘等の固着具４５を笠木３１に打入してカバー１３を取り付ける。このようにカバー１３を取り付けた状態で安全金具１１の引っ掛け孔１０ａの部分は露出している。
【００２６】
上記のように安全金具１１を下屋３０の上部に取り付けた後に命綱を取り付ける場合は、上記図１（ｂ）に示すものと同様にして行なわれる。すなわち、下屋３０の軒と平行方向に下屋３０の上部に間隔を隔てて取り付けた一対の安全金具１１間に亙るように命綱としての親綱が架設され、親綱の両端のフック等の係止具が安全金具１１の引っ掛け孔１０ａに引っ掛け係止され、命綱としての屋根面ロープの一端がフック等の係止具にて親綱に引っ掛け係止され、屋根面ロープの他端が作業者に巻き付けた安全帯にフック等の係止具にて係止される。このように作業者と安全金具１１と命綱で繋いで屋根上の作業が安全にできる。なお、安全金具１１に命綱を繋ぐ繋ぎ方は上記の仕方に限定されず、種々のものが考えられる。また、上記と同様に、下屋３０上の作業を終えた後、安全金具１１は取り外しても取り外さなくてもいずれでも良い。
【００２７】
図１１に示すように、本屋５０の棟部分に安全金具１１を取り付けて下屋３０の上で作業する場合では、長尺の屋根面ロープ６が必要となり、また、本屋５０の軒に屋根面ロープ６が引っ掛かって作業が行ないにくくなったり、屋根面ロープ６が本屋５０の軒との摩擦により摩耗して切断されやすくなって、安全性が低下する恐れがあるが、この実施の形態のように、下屋３０の上部に安全金具１１を取り付けることにより、このような問題が発生せず、作業性や安全性の低下を防止することができるものである。
【００２８】
図１２に本発明の他の実施の形態を示す。この実施の形態では、図１３に示すようにカバー１３として壁側端部となる後端に立ち上げ片１３ｄを設けたものである。このカバー１３は上記と同様にして笠木３１に取り付けられるが、この時、図１４に示すように、立ち上げ片１３ｄは壁板材３２の裏面側に挿入された状態となる。また、立ち上げ片１３ｄは、雨押え部材４１の挿入部４１ｃと同様に、壁板材３２の裏面側において、柱４３と壁下地材４５の間で二枚の防水紙４４に挟まれるようにして配置してもよい。その他の構成は図７に示すものと同様である。
【００２９】
そして、この実施の形態では、立ち上げ片１３ｄにより安全金具１１と壁板材３２との間の隙間を覆うことができ、安全金具１１と壁板材３２との間の隙間から雨水が浸入しないように防水性を高めることができる。
【００３０】
図１５に本発明の他の実施の形態を示す。この実施の形態では、安全金具１１として壁側端部となる後端に挿入片１１ｄを設けたものである。この安全金具１１は上記と同様にして笠木３１に取り付けられるが、この時、挿入片１１ｄは壁板材３２の裏面側に挿入された状態となる。また、挿入片１１ｄは、雨押え部材４１の挿入部４１ｃと同様に、壁板材３２の裏面側において、柱４３と壁下地材４５の間で二枚の防水紙４４に挟まれるようにして配置してもよい。その他の構成は図７に示すものと同様である。
【００３１】
そして、この実施の形態では、挿入片１１ｄにより安全金具１１の本体部１１ａと壁板材３２との間の隙間から雨水が浸入しないように防水性を高めることができる。
【図面の簡単な説明】
【００３２】
【図１】（ａ）は本発明の実施の形態の一例の屋根の棟部に安全金具を取り付けた状態の斜視図、（ｂ）は安全金具をカバーで覆って命綱を取り付けた状態の斜視図である。
【図２】同上の屋根の棟部の断面図である。
【図３】同上の安全金具を示し、（ａ）は正面図、（ｂ）は平面図、（ｃ）は側面図である。
【図４】同上のカバーを示し、（ａ）は斜視図、（ｂ）は正面図、（ｃ）は側面図である。
【図５】（ａ）（ｂ）（ｃ）（ｄ）は同上の施工状態を説明する斜視図である。
【図６】同上の他の例を説明する斜視図である。
【図７】本発明の他の実施の形態の一例の下屋に安全金具を取り付けた状態を示す断面図である。
【図８】同上の図７の下屋に用いる安全金具を示し、（ａ）は正面図、（ｂ）は平面図、（ｃ）は側面図である。
【図９】同上の図７の下屋に用いるカバーを示し、（ａ）は斜視図、（ｂ）は側面図、（ｃ）は正面図である。
【図１０】同上の図７の下屋の安全金具の施工状態を示す斜視図である。
【図１１】同上の安全金具を用いた作業状態を示す概略図である。
【図１２】本発明の他の実施の形態の一例の下屋に安全金具を取り付けた状態を示す断面図である。
【図１３】同上の図１１の下屋に用いるカバーを示し、（ａ）は斜視図、（ｂ）は側面図、（ｃ）は正面図である。
【図１４】同上の図１１の下屋の安全金具の施工状態を示す斜視図である。
【図１５】本発明の他の実施の形態の一例の下屋に安全金具を取り付けた状態を示す断面図である。
【図１６】従来例を説明する説明図である。
【符号の説明】
【００３３】
１  屋根
７  屋根瓦
８  棟木
９  棟包み
１０  引っ掛け部
１１  安全金具
１２  固着具
１３  カバー
３０  下屋
３１  笠木
３２  壁板材
３ｄ  立ち上げ片
【図１】
2005336990.tif 000003
【図２】
2005336990.tif 000004
【図３】
2005336990.tif 000005
【図４】
2005336990.tif 000006
【図５】
2005336990.tif 000007
【図６】
2005336990.tif 000008
【図７】
2005336990.tif 000009
【図８】
2005336990.tif 000010
【図９】
2005336990.tif 000011
【図１０】
2005336990.tif 000012
【図１１】
2005336990.tif 000013
【図１２】
2005336990.tif 000014
【図１３】
2005336990.tif 000015
【図１４】
2005336990.tif 000016
【図１５】
2005336990.tif 000017
【図１６】
2005336990.tif 000018